(57)【要約】  【課題】  把持部の位置を常時、定位置に維持すること。  【解決手段】  昇降可能なベッドサイドフレームと一体的に設けられた部材を、把持部を保持し且つ床面に常時着座する枠部材の所定の部位の上に上下方向移動可能に配設してなる、介助装置。  【選択図】  図１
2005118088.tif 000002
【特許請求の範囲】
【請求項１】
昇降可能なベッドサイドフレームと一体的に設けられた部材を、把持部を保持し且つ床面に常時着座する枠部材の所定の部位の上に上下方向移動可能に配設してなる、介助装置。
【発明の詳細な説明】
【技術分野】
【０００１】
本発明は、ベッドへの乗降を容易ならしめる介助装置に関しする。
【背景技術】
【０００２】
ベッドへの乗降を容易ならしめる介助装置としては、例えば、特許文献１に明示されているものがある。この介助装置は、ベッドのサイドフレームにおける支柱に把持バーを所定の位置に回動させて固定する支持位置切換機構を介して取り付ける構成とされている。そして、支持位置切換機構は、支柱に固定された連結軸先端部に固定ギヤを取り付け、把持バーに一対のストッパを先端部が固定ギヤの歯に弾発的に当接係止するようにし、これらストッパ間に扇形状のカム部材を操作レバーにより回動可能に介在させる。
【０００３】
かように構成された介助装置たる把持バーを用いることにより、使用者は、ベッドから降りてベッドサイドにて起座し、ベッドサイドから立ち上がることが可能となる。
【特許文献１】実開平５−５６１２６号公報
【発明の開示】
【発明が解決しようとする課題】
【０００４】
上記したベッド装置においては、支柱が固定されるサイドフレームは高さが一定であるが、このサイドフレームが昇降装置により上昇されるものである場合、床面から高い位置で、把持バーが支柱にカンチレバーの態様で連結されることになる。従って、把持バーの長さが長いと、把持バーの先端側に作用する力が大きい場合、大きなモーメントにより、ベッド装置が横に傾く危惧がないとはいえない。
【０００５】
それ故に、本発明は、かような危惧がないベッド装置を提供することを、その課題とする。
【課題を解決するための手段】
【０００６】
上記の課題を解決するために請求項１で講じた技術的手段は、「昇降可能なサイドフレームと一体的に設けられた部材を、把持部を保持し且つ床面に常時着座する枠部材の所定の部位の上に上下方向移動可能に配設してなる、介助装置」を構成したことである。  
【発明の効果】
【０００７】
請求項１に記載の発明によれば、把持部を保持し且つ床面に常時着座する枠部材は、ベッドサイドフレームの昇降にかかわらず定位置に位置するので、把持部の使用を安定的に行うことができる。
【発明を実施するための最良の形態】
【０００８】
以下、本発明を実施するための最良の形態を、図面を基に説明する。
【０００９】
図１及び図２に示されるように、ベッド装置１０は、ヘッド部１２及びフット部（図示略）を備える。ヘッド部１２は、昇降装置１２１及びこの昇降装置１２１により昇降されるヘッドボード１２２とから構成され、昇降装置１２１の下部の支持部１２３は床面に着座する。フット部も、ヘッド部１２と同じような構成とされる。
【００１０】
ヘッドボード１２２とフットボード、一対のフレーム１６・１６（一方のみ図示）により連結される。フレーム１６・１６の上にはボトム部２０が装着されており、ボトム部２０上にはマットレス４０が載置されている。しかして、ヘッドボード１２２及びフットボード１４２は、夫々、昇降装置１２１及び昇降装置（図示略）により同期して昇降可能となっているので、この同期昇降により、ヘッドボード１２２とフットボード１４２とを連結するサイドフレーム１６・１６上のボトム部２０及びマットレス４０が昇降可能とされる。
【００１１】
ベッド装置１０には、介助装置５０が付設されており、使用者Ｈは、ベッド装置１０から降りてベッドサイドにて起座し、介助装置５０の把持部５６を握って、ベッドサイドの床面から立ち上がることを可能としている。
【００１２】
介助装置５０を、特に図２を参照しつつ、詳細に説明する。ベッド装置１０に付設される転落防止枠９０は、本体部９２、本体部９２と一体のベース部９４及びベース部９４を半径方向に貫通突出する一対の突起部９６・９６とから構成される。突起部９６の下枠から下方に突出する一対の突起部９６・９６が、ベッド装置１０のサイドフレーム１６から外方向に突出するように固定されたブラケット（図示略）に穿設された穴に挿入され、これにより、転落防止枠９０がベッド装置１０に堅牢且つ着脱自在に固定される。
【００１３】
転落防止枠９０のベース部９４の右端部には、上下方向に延在するガイド部材６０から半径方向に突出する分岐部６０ａが外装・固定される。ガイド部材６０の上端部には、支持体６２が回転可能に挿入・載置されている。支持体６２には、軸方向に貫通する角穴が設けられている。この角穴内には、角棒５２が、この角穴内に軸方向に相対移動可能に嵌着されており、この嵌着により、角棒５２は、支持体６２と一体となって、ガイド部材６２に対して相対回動が可能となる。角棒５２の回動位置は、固定手段５９により固定される。すなわち、固定手段５９の摘みを引くと角棒５２が回動可能となり、摘みを放すと、角棒５２の回動が不能となる。角棒５２の下端部は、アジャスタ７２を介して床面に着座する。
【００１４】
角棒５２の上端部は、コーナー部が丸みを帯びた逆Ｌ型の管部材５１の一端部と連結されている。管部材５１の他方端部は、アジャスタ７０を介して、床面に着座する。管部材５１の他方端部近傍と角棒５２の下端部近傍とは、横棒５４により連結されており、この横棒５４となす管部材５１の水平部は、人が立ち上がったときに把持出来るようになっている。また、管部材５１の水平部と平行をなすように、この平行部より少しく低い位置において、横バー５３が角棒５２と管部材５１の垂直部とを連結している。この横バー５３は、人が中腰になったときに把持出来るようになっている。
【００１５】
横バー５３には、管部材５１の垂直部寄りにおいて、固定手段５７が設けられており、また、横棒５４には、管部材５１の垂直部寄りにおいて、固定手段５８が設けられている。固定手段５７と固定手段５８との間には、上下方向に延在する縦棒５８が設けられており、この縦棒５８は、Ｕ字型のパイプで形成された把持部５６の両端部が溶着固定されている。この把持部５６に、上記したように、使用者Ｈは、ベッド装置１０から降りてベッドサイドにて起座し、介助装置５０の把持部５６を握って、ベッドサイドの床面から立ち上がることが出来るようになっている。
【００１６】
上記したように、ベッド装置１０のフレーム１６は昇降するようになっているので、この昇降に伴い、転落防止枠９０のベース部９４及びガイド部材６０も昇降する。しかして、ガイド部材６０は角棒５２との上下方向の相対変移が許容されるようになっているので、把持部５６の位置は不変で、フレーム１６の昇降にかかわらず、安定的に床面に支持される。
【００１７】
尚、固定手段５７を緩めて把持部５６を持ち上げれば、把持部５６は縦棒５６と一体となって回動し、縦棒５６と管部材５１の垂直部との間に画成される空間に折り畳み収容されるようになっている。
【図面の簡単な説明】
【００１８】
【図１】本発明に係る介助の全体斜視図。
【図２】図１に示す介助装置の使用例を示す斜視図。
【符号の説明】
【００１９】
５１  管部材枠部材）
５２  角棒（枠部材）
５４  把持部
６０  ガイド部材
【図１】
2005118088.tif 000003
【図２】
2005118088.tif 000004